(57)【特許請求の範囲】
【請求項１】
地下に埋立された制水弁（７０）の開閉によって消火水が供給される水道管（１０）と、
前記水道管（１０）に連結されるエルボパイプ（２０）と、
前記エルボパイプ（２０）に連結される固定管（３０）と、
前記固定管（３０）に結合されて地上に出没され、下端部に前記固定管（３０）の内面にスライドされるガイドブロック（４１）が結合された昇降管（４０）と、
前記固定管（３０）の上端部に結合されて前記昇降管（４０）の離脱を防止する密閉板（３１）と、前記昇降管（４０）の上端部に連結され、消防ホース（１００）が連結されるホース連結口（５１）を備えるヘッドブロック（５０）と、
前記昇降管（４０）の下端部を開閉させるバルブ手段と、
前記固定管（３０）と昇降管（４０）との間の空気を排気または吸気させるように開閉させるエアバルブ（９０）とを備え、
前記昇降管（４０）の下端部が前記バルブ手段によって閉鎖された状態で前記水道管（１０）を通じて供給される消火水の圧力によって前記昇降管（４０）が上昇され、前記バルブ手段は、前記昇降管（４０）の下端部に密着または分離可能なバルブ本体（６０）と、下端が前記バルブ本体（６０）に結合され、上端部が前記ヘッドブロック（５０）に回転可能に支持されて昇降可能な作動棒（６１）と、前記作動棒（６１）の上端部に結合されて作動棒（６１）を回転させるハンドル（６２）とを備えることを特徴とする昇降式消火栓組立体。
【請求項２】
前記エルボパイプ（２０）に連結され、前記制水バルブ（７０）が開放時に閉鎖され、前記制水バルブ（７０）が閉鎖時に開放されて、昇降管（４０）とエルボパイプ（２０）に残留する消火水を外部に排出させるチェックバルブ（８０）がさらに備えられたことを特徴とする請求項１に記載の昇降式消火栓組立体。
【発明の詳細な説明】
【技術分野】
【０００１】
本発明は昇降式消火栓組立体に関し、特に消火栓の使用時、昇降管を水圧によって自動的に地上に突出させ、また消火栓の使用後、地上に突出された昇降管の下降速度を調節することができる昇降式消火栓組立体に関する。
【背景技術】
【０００２】
地上に突出された消火栓は通行に障害になり、外力によって破損されやすいとともに、酷寒期に凍破されやすいという問題点があって、最近では昇降式消火栓が開発されている。
【０００３】
昇降式消火栓の一例が韓国実用新案登録第２０−０３１６２３７号に開示され、図１及び図２に示されている。
【０００４】
これは上水道管１０、バルブ管１１２及びバレル管１２２が相互連結され、バレル管１２２の内側には吐出管１４２が作業者によるハンドル１４８力によって昇降可能に結合され、回転体１７２の回転によってバルブ管１１２を開閉させるバルブ体１９０が備えられた構造を有する。
【０００５】
このような消火栓は作業者がハンドル１４８を把持した後上部へ引っ張ると、吐出管１４２がバレル管１２２から引き出されながら上昇され、その後、吐出口１６０に消防ホースを連結させた後、回転体１７２を回転させてバルブ体１９０を開放させると、消火水が吐出される構造である。
【０００６】
しかし、このような構造の消火栓は、使用の時に作業者がハンドル１４８を把持して、吐出管１４２を地上に突出させなければならないため煩雑である。
【０００７】
また、消火栓を使用した後は、ハンドル１４８を把持して下方へ力を加えて吐出管１４２をバレル管１２２に結合させる。この場合、吐出管１４２、バレル管１２２及びバルブ管１１２の内部に消火水が充填されているため、下降作業が難しくなって非常にゆっくりと下降されるようになって作業速度が遅くなる。
【先行技術文献】
【特許文献】
【０００８】
【特許文献１】韓国実用新案登録第２０−０３１６２３７号
【発明の概要】
【発明が解決しようとする課題】
【０００９】
本発明は上記のような問題点を解決するために創出されたもので、消火栓の使用の時、昇降管を水圧によって自動的に地上に突出させることができる昇降式消火栓組立体を提供することをその目的とする。
【００１０】
本発明の他の目的は、消火栓を使用した後、地上に突出された昇降管の下降速度を調節することができる昇降式消火栓組立体を提供することをその目的とする。
【課題を解決するための手段】
【００１１】
上記目的を達する本発明の昇降式消火栓組立体は、地下に埋立された制水弁の開閉によって消火水が供給される水道管と、水道管に連結されるエルボパイプと、エルボパイプに連結される固定管と、固定管に結合されて地上に出没され、下端部にガイドブロックが結合された昇降管と、固定管の上端部に結合されて昇降管の離脱を防止する密閉板と、昇降管の上端部に連結され、消防ホースが連結されるホース連結口を備えるヘッドブロックと、昇降管の下端部を開閉させるバルブ手段とを備え、昇降管の下端部がバルブ手段によって閉鎖された状態で、水道管を通じて供給される消火水の圧力によって昇降管が上昇されることを特徴とする。
【００１２】
また、本発明の組立体は、固定管と昇降管との間の空気を排気または吸入するように開閉させるエアバルブを備えることを特徴とする。
【００１３】
また、本発明の組立体は、エルボパイプに連結され、制水弁の開放の時閉鎖され、制水弁の閉鎖の時開放されて昇降管とエルボパイプに残留する消火水を外部に排出させるチェックバルブがさらに備えられることを特徴とする。
【００１４】
また、バルブ手段は昇降管の下端部に密着または分離可能なバルブ本体と、下端がバルブ本体に結合され、上端部がヘッドブロックに回転可能に支持されて昇降可能な作動棒と、作動棒の上端部に結合されて、作動棒を回転させるハンドルを備えることを特徴とする。
【発明の効果】
【００１５】
第一に、制水弁の開放の時、高圧の消火水の圧力によって昇降管４０が上昇されて地上に突出されるようにすることによって、従来、作業者の手作業による場合と異なって、緊急状況が発生した時迅速に作動することができるようにする。
【００１６】
第二に、固定管と昇降管との間の空間をエアバルブで開閉可能にすることによって、昇降管４０の上昇速度及び下降速度を制御することができ、これによって昇降管の急速な上昇を防止して事故を予防し、且つ昇降管の下降の時下降を円滑にする。
【００１７】
第三に、ヘッドブロック５０にバルブ本体６０を開閉させるハンドル６２を設置することによって、従来別途のレンチでバルブ本体を開閉させる不便を解消する。
【図面の簡単な説明】
【００１８】
【図１】従来消火栓の作動状態を示す概路図である。
【図２】従来消火栓の作動状態を示す概路図である。
【図３】本発明の実施形態の消火栓の作動状態図である。
【図４】本発明の実施形態の消火栓の作動状態図である。
【図５】本発明の実施形態の消火栓の作動状態図である。
【図６ａ】本発明の実施形態の消火栓に用いられるチェックバルブの作動状態図である。
【図６ｂ】本発明の実施形態の消火栓に用いられるチェックバルブの作動状態図である。
【発明を実施するための形態】
【００１９】
本発明の実施形態における昇降式消火栓組立体は、従来作業者が手作業で昇降管を地上に突出させる作業上の煩雑さを解消し、また作業者が昇降管を下降させる時少ない力でも下降させることができるようにする。
【００２０】
本発明の実施形態の消火栓組立体を示す図３〜図５によれば、これは地下に埋立された制水弁７０の開閉によって消火水が供給される水道管１０と、水道管１０に連結される直角エルボパイプ２０と、エルボパイプ２０に連結される固定管３０と、固定管３０に結合されて地上に出没され、下端部に固定管３０の内面にスライドされるガイドブロック４１が結合された昇降管４０と、固定管３０の上端部に結合されて昇降管４０の離脱を防止する密閉板３１と、昇降管４０の上端部に連結され、消防ホース１００が連結されるホース連結口５１を備えるヘッドブロック５０と、昇降管４０の下端部を開閉させるバルブ手段とを備える。
【００２１】
バルブ手段は、昇降管４０の下端部に密着または分離可能なバルブ本体６０と、下端がバルブ本体６０に結合され、上端部がヘッドブロック５０に旋回可能に支持されて昇降可能な作動棒６１と、作動棒６１の上端部に結合されて作動棒６１を回転させるハンドル６２とを備える。
【００２２】
制水弁７０は地上と連結されて、別途の開閉手段（図示省略）によって開閉が可能であり、水道管１０とエルボパイプ２０及び固定管３０の一部分は地下に埋設され、固定管３０の上端部は地上の消火栓溝１１０に突出して設置される。
【００２３】
密閉板３１には固定管３０と昇降管４０との間の空気を排気または吸入させるように開閉させるエアバルブ９０が設けられている。
【００２４】
また、エルボパイプ２０に連結され、制水弁７０を開放した時に閉鎖され、制水弁７０を閉鎖した時に開放されて、昇降管４０とエルボパイプ２０に残留する消火水を外部に排出させるチェックバルブ８０が備えられている。
【００２５】
チェックバルブ８０には、図６に示すように、エルボパイプ２０と連結される流入口８１と消火水が排出される出水口８２が形成され、その内部には消火水が通過できるようにヘッド部に切開溝８３ａが形成され、後尾が出水口８２を開閉可能にする移動スプール８３が結合され、出水口８２を開放させる方向に移動スプール８３を移動させるスプリング８４が備えられている。上記のような構成を有する消火栓組立体の作動は次の通りである。
【００２６】
図３によれば、消火栓の使用の時、消火栓溝１１０を覆っている蓋（図示省略）を開放した後制水弁７０を開放させる。この時供給される消火水の水圧によって、図４に示すように、固定管３０に対してバルブ本体６０及び昇降管４０が上昇されてヘッドブロック５０が地上に突出される。
【００２７】
この時、エアバルブ９０の開閉量を調節すると、水圧によって上昇される昇降管４０の上昇速度を調節することができる。即ち、固定管３０と昇降管４０との間の空間に存在する空気の排出速度を調節することによって、昇降管４０の上昇速度を調節することができる。従って、高圧の消火水による昇降管４０の急激な上昇を防止して事故を予防することができる。
【００２８】
このような状態で、ホース連結口５１に消防ホース１００を連結させた後、図５に示すように、ハンドル６２を回転させて作動棒６１を通じてバルブ本体６０を下降させると、昇降管４０の下端部が開放されて、消火水が消防ホース１００を通じて吐出される。
【００２９】
一方、消火水が吐出される間チェックバルブ８０は閉鎖される。即ち、図６ａに示すように、高圧の消火水が流入口８１を通じて流入されると、移動スプール８３がスプリング８４を圧縮させながら移動されて出水口８２を閉鎖させ、それによって消火水のドレーンを遮断させる。
【００３０】
消火栓を使用した後には制水弁７０を閉鎖させ、ヘッドブロック５０を下方に加圧させて昇降管４０を固定管３０の内側に結合させる。この時エアバルブ９０を開放して固定管３０と昇降管４０との間に外部空気が流入されるようにすることによって昇降管４０の下降が円滑になるようにする。
【００３１】
昇降管４０の下降が完了されてから所定時間経って昇降管４０の内部に残留する消火水がチェックバルブ８０を通じて完全にドレーンされると、ハンドル６２を回転させてバルブ本体６０で昇降管４０の下端部を閉鎖させる。
【００３２】
また、制水弁７０を閉鎖させると、チェックバルブ８０が開放されて昇降管４０とエルボパイプ２０に残留する消火水がドレーンされる。即ち、図６ｂに示すように、消火水の高圧の圧力が除去されることによって、スプリング８４の復元力によって移動スプール８３が移動されて出水口８２を開放させる。この時、流入口８１を通じる消火水は切開溝８３ａを経由して出水口８２でドレーンされる。
【産業上の利用可能性】
【００３３】
消火栓を使用する時には昇降管を水圧によって自動的に地上に突出させ、また消火栓を使用した後には地上に突出された昇降管の下降速度を調節することができるようになる。
【符号の説明】
【００３４】
１０：水道管
２０：エルボパイプ
３０：固定管
３１：密閉管
４０：昇降管
４１：ガイドブロック
５０：ヘッドブロック
５１：ホース連結口
６０：バルブ本体
６１：作動棒
６２：ハンドル
７０：制水弁
８０：チェックバルブ
９０：エアバルブ
１００：消防ホース
【図１】
0005580402.tif 000002
【図２】
0005580402.tif 000003
【図３】
0005580402.tif 000004
【図４】
0005580402.tif 000005
【図５】
0005580402.tif 000006
【図６ａ】
0005580402.tif 000007
【図６ｂ】
0005580402.tif 000008